(57)【要約】      （修正有）【課題】冷蔵庫が大型化し奥行きが大きい冷蔵庫や、最近提案されている冷蔵室の下部に収納容器を配するタイプの冷蔵庫では、収納容器が高い位置にあるためより奥が見難いという問題点がある。収納容器の奥に収納されている食品であっても冷蔵庫の前方から見やすい冷蔵庫を提供する。【解決手段】冷蔵室１４に前方に引出し可能に配された野菜容器３６の底板４４を前方にいくほど下方に傾斜させ、容器の奥にある食品を、冷蔵庫の前方から見やすくした。【選択図】図３
2009228956.tif 000002
【特許請求の範囲】
【請求項１】
少なくとも前部と上部の一部に開口部を有する収納容器が貯蔵室に配され、
前記収納容器の底面が前方ほど下方に傾斜した、
冷蔵庫。
【請求項２】
前記貯蔵室の両側面に左右一対のレールが前後方向に設けられ、
前記収納容器の左右から一対の突部が突出し、
前記一対の突部が、前記一対のレール上を前後方向に移動する、
請求項１記載の冷蔵庫。
【請求項３】
前記レールは、前方ほど下方に傾斜した、
請求項２記載の冷蔵庫。
【請求項４】
前記収納容器の前方への移動を阻止するストッパが回転自在に設けられ、前記移動を阻止する状態から前記移動を許容する状態に回転する、
請求項２記載の冷蔵庫。
【請求項５】
前記ストッパが、前記収納容器の前記突部より前方であって、前記レールに回転自在に設けられた、
請求項４記載の冷蔵庫。
【請求項６】
前記収納容器の前方への移動を阻止するストッパが、前記貯蔵室の扉の開閉と連動して設けられ、
前記扉の開状態のときに前記ストッパによる前記移動の阻止を解除する、
請求項２記載の冷蔵庫。
【請求項７】
前記収納容器の後部下方に冷気が流れる空間が設けられた、
請求項１記載の冷蔵庫。
【請求項８】
前記収納容器の後部下方に照明装置が設けられた、
請求項１記載の冷蔵庫。
【請求項９】
前記収納容器の底面にシボ加工が施された、
請求項１記載の冷蔵庫。
【請求項１０】
前記収納容器の前記左右一対の突部が円柱型である、
請求項１記載の冷蔵庫。
【請求項１１】
前記収納容器の前記開口部を覆う蓋体が設けられた、
請求項１記載の冷蔵庫。
【請求項１２】
前記蓋体の上部が回転自在に支持され、
前記蓋体の下部を上方に回転させるように付勢するバネ部材が前記蓋体に設けられ、
前記バネ部材の付勢力に反して、前記蓋体が前記開口部を覆う状態で保持する磁石が、前記蓋体の下部に設けられた、
請求項１１記載の冷蔵庫。
【請求項１３】
前記蓋体は、シートをロール状に巻回したものであり、
前記収納容器の前記開口部の一側部に、前記シートの一端部が固定され、
前記シートの他端部に係止部材が設けられ、
前記開口部の他側部に前記係止部材を止める固定部が設けられた、
請求項１記載の冷蔵庫。
【発明の詳細な説明】
【技術分野】
【０００１】
本発明は、冷蔵庫、特に収納容器に関するものである。
【背景技術】
【０００２】
従来より、冷蔵庫の冷蔵室や野菜室には、食品を収納するための収納容器が配されている（例えば、特許文献１、特許文献２参照）。
【０００３】
このような収納容器は、冷蔵庫の扉を開け、その後に前方に引き出して収納されている食品を取り出すものである。
【特許文献１】特許第３３８０４９２号公報
【特許文献２】実開平２−７７５７８号公報
【発明の開示】
【発明が解決しようとする課題】
【０００４】
上記のような冷蔵室や野菜室に配されている収納容器においては、その収納容器の奥に収納されている食品が見難いという問題点がある。特に、冷蔵庫が大型化し奥行きが大きい冷蔵庫や、また、最近提案されている冷蔵室の下部に収納容器を配するタイプの冷蔵庫では、この収納容器が高い位置にあるためより奥が見難いという問題点がある。
【０００５】
そこで、本発明は上記問題点に鑑み、収納容器の奥に収納されている食品であっても冷蔵庫の前方から見やすい冷蔵庫を提供する。
【課題を解決するための手段】
【０００６】
本発明は、少なくとも前部と上部の一部に開口部を有する収納容器が貯蔵室に配され、前記収納容器の底面が前方ほど下方に傾斜した、冷蔵庫である。
【発明の効果】
【０００７】
本発明によれば、収納容器の底面が前方ほど下方に傾斜しているため、収納容器の奥にある食品を冷蔵庫の前方から見やすい。
【発明を実施するための最良の形態】
【０００８】
以下、本発明の一実施形態の冷蔵庫１０について図面に基づいて説明する。
【０００９】
（第１の実施形態）
本発明の第１の実施形態の冷蔵庫１０について図１〜図６に基づいて説明する。
【００１０】
（１）冷蔵庫１０の構成
図１及び図２に基づいて冷蔵庫１０の構成について説明する。
【００１１】
冷蔵庫１０のキャビネット１２は、上段から冷蔵室１４、製氷室１６、冷凍室１８が設けられ、製氷室１６の右側には庫内温度を切り替えることができる切替え室２０が設けられている。
【００１２】
冷蔵室１４には、観音開き式の扉２２、２２が設けられ、製氷室１６、冷凍室１８、切替え室２０には、それぞれ引出し式の扉２４、２６、２８が設けられている。観音開き式の扉２２、２２は、ブッシュ式の扉操作部３０が設けられ、この扉操作部３０を押し込むことにより、扉２２は図示しないソレノイドにより前方へ押し出され、自動的に開扉状態となる。
【００１３】
冷蔵室１４の内部には、図１に示すように複数の棚板３２が水平に配置されている。また、冷蔵室１４には、棚板３２の下方に棚３４が配置されている。この棚３４の下方には、野菜を収納するための収納容器である野菜容器３６が設けられている。野菜容器３６の下方、即ち、冷蔵室１４の底面には、仕切り板３８を挟んでチルド用収納容器であるチルド容器４０，４２が左右方向に並んで配置されている。
【００１４】
（２）野菜容器３６の構成
次に、野菜容器３６の構成について図３〜図６に基づいて説明する。
【００１５】
野菜容器３６は、底面４４、両側面４６，４８、背面５０及び、前面５２を有している。この前面５２は、背面５０の高さよりも低く、野菜容器３６の前部上部、上面は開口している。上面は、棚３４に覆われている。また、開放された前部上部は蓋板５４を有している。
【００１６】
野菜容器３６の底板４４は、図３に示すように前方ほど下方にθ度傾斜しており、例えばθ＝５°傾斜している。
【００１７】
両側壁４６、４８の後部かつ下部には、図４に示すように円柱型の突部５６が左右方向にそれぞれ突出している。
【００１８】
冷蔵室１４の内壁の両側壁には、図４に示すようにレール部材５８が左右方向にそれぞれ取り付けられている。このレール部材５８には、前部が開口し、かつ、前後方向に延びたレール溝６０が設けられている。このレール溝６０は、野菜容器３６の底板４４と同様に、前方にいくほど下方に傾斜しており、レール溝６０を前記の円柱型の突部５６が前後方向に移動可能となっている。そして、この突部５６を停止させるために、レール溝６０の前端部には阻止部６２がレール溝６０から突出している。
【００１９】
野菜容器３６は、冷蔵室１４に収納された状態では、図３に示すように、扉２２の後面に設けられたドアポケット６４に当接した状態となっている。
【００２０】
（３）ストッパ６６の構成
野菜容器３６には、野菜容器３６が前方に飛び出すのを防止するストッパ６６が設けられている。このストッパ６６について図５及び図６に基づいて説明する。
【００２１】
ストッパ６６は、仕切り板３８の略中央部に配置されているものである。以下具体的に説明する。
【００２２】
（３−１）ストッパ６６の構成
図６（ａ）に示すように、仕切り板３８の中央部に平面矩形状の切欠き部６８が設けられ、この内壁の両側壁に突起７０がそれぞれ設けられている。
【００２３】
図６（ｂ）（ｃ）に示すように、ストッパ６６は、Ｌ字型をなし、その両側部の屈曲部分に円形の凹部７２が設けられている。この凹部７２から延びている部材の長さが異なり、長い方の部材が停止部７４を構成し、短い方の部分が操作部７６を構成している。
【００２４】
図６（ｄ）（ｅ）に示すように、ストッパ６６の両側部の凹部７２が切欠き部６８の突起７０にそれぞれ係合し、切欠き部６８に対して回動自在である。
【００２５】
（３−２）ストッパ６６の動作状態
次に、ストッパ６６の動作状態について説明する。
【００２６】
ストッパ６６は上記したように切欠き部６８に対して回動自在であり、図６（ｄ）に示すような状態に回動すると、停止部７４が仕切り板３８と平行になり、突出部分の寸法が短くなるため、野菜容器３６の前方への移動を阻止しない。
【００２７】
一方、図６（ｅ）に示すようにストッパ６６が回動し、停止部７４が仕切り板３８から突出した状態になると、図５に示すように野菜容器３６の前壁５０の下部に停止部７４が当接し、野菜容器３６の前方への移動を阻止する。
【００２８】
ストッパ６６の回動は、仕切り板３８の下方に突出している操作部７６をユーザが手で回転させることによって操作する。
【００２９】
（４）効果
上記実施形態の冷蔵庫１０であると、ユーザがストッパ６６を操作して野菜容器３６の前方への引出しを許容している場合には、扉２２を開けると、ドアポケット６４が前方に移動し、野菜容器３６が前方へ引き出されてくる。これは、レール部材５８のレール溝６０は前方にいくほど下方に傾斜しているため、突部５６がレール溝６０に沿って自動的に移動し引き出されるためである。また、突部５６が円柱形であるため、摺動中における突部５６とレール溝６０との接触面積が線接触となり、その摩擦を軽減することができよりスムーズな動作が可能となる。
【００３０】
このように野菜容器３６が前方へ移動し、突部５６が阻止部６２に当接し、収納容器４０の前方への移動が停止する。
【００３１】
収納容器４０は、底板が前方にいくほど下方に傾斜しているため、野菜容器３６の奥に収納されている食品を前方から見やすい状態となっている。また、手で取り出す場合にも取り出しやすい状態となっている。
【００３２】
扉２２を開けた場合に、野菜容器３６の前方への引出しを防止する場合には、ストッパ６６の操作部７６を回動させて、停止部７４を仕切り板３８から突出させ（図５参照）、その前方への引出しを阻止することができる。
【００３３】
（第２の実施形態）
次に、図７及び図８に基づいて第２の実施形態の冷蔵庫１０について説明する。
【００３４】
本実施形態と第１の実施形態の異なる点は、第１の実施形態におけるストッパ６６に代えて、異なるストッパ７８を設けた点にある。
【００３５】
本実施形態のストッパ７８は、左右のレール部材５８のレール溝６０の後方にある凹部８０に水平な軸を中心に回動自在にそれぞれ設けている。この左右一対の凹部８０が設けられている位置は、図８に示すように、野菜容器３６を最も奥に収納した状態における突部５６の前方に設けている。
【００３６】
ストッパ７８は、レール溝６０の下面８２に対し突出する方向に回転した状態と、下面８２に沿って同一直線上になった状態との２つの状態を選択することができる。この選択のために、Ｌ字型の補助部材８４が垂直な軸を中心に回転自在に設けられている。
【００３７】
図８（ａ）に示すように、Ｌ字型の補助部材８４が回動し、ストッパ７８と係合して押し上げた状態に回動させると、上記したようにストッパ７８がレール溝６０の下面８２より突出した状態となり、円柱形の突部５６がレール溝６０の背面８６との間に挟まり、野菜容器３６の前方への引出しを阻止する。
【００３８】
図８（ｂ）に示すように、ユーザが、補助部材８４を回転させて、ストッパ７８との係合を解除すると、ストッパ７８が回転し、レール溝６０の下面８２と同一直線上になる。そのため、今まで阻止していた状態が解除され突部５６がレール溝６０に沿って移動可能となる。
【００３９】
本実施形態によれば、レール部材５８のレール溝６０の後部にストッパ７８、補助部材８４を設け、補助部材８４をユーザが操作することにより、野菜容器３６の前方への移動を阻止することができる。
【００４０】
なお、本実施形態ではストッパ７８及び補助部材８４を左右一対のレール部材５８にそれぞれ設けたが、一方のレール部材５８にのみ設けてもよい。
【００４１】
（第３の実施形態）
次に、第３の実施形態の冷蔵庫１０について説明する。
【００４２】
第１の実施形態及び第２の実施形態ではストッパ６６、ストッパ７８を設けたが、このようなストッパ６６、７８を設けず、ドアポケット６４のみで野菜容器３６の前方への移動を阻止してもよい。
【００４３】
すなわち、扉２２を閉めた状態ではドアポケット６４が野菜容器３６に当接しているため、野菜容器３６の前方への移動を阻止することができる。
【００４４】
（第４の実施形態）
次に、第４の実施形態の冷蔵庫１０について図３に基づいて説明する。
【００４５】
上記したように、野菜容器３６の底板４４は傾斜して、後部においては底板４４と仕切り板３８との間に空間が生じる。そのため、この空間をダクトとして、このダクトに冷気を流してもよい。
【００４６】
本実施形態によれば、チルド容器４０，４２の後方に特別なダクト部材を配することなく、野菜容器３６の底部とチルド容器４０，４２の上面を冷気によって冷却することができる。
【００４７】
（第５の実施形態）
次に、第５の実施形態の冷蔵庫１０について図９に基づいて説明する。
【００４８】
上記したように、野菜容器３６の底板４４は傾斜して、後部においては底板４４と仕切り板３８との間に空間が生じる。そのため、この空間に照明装置８８を設けたものである。
【００４９】
本実施形態によれば、照明装置８８を設けると、野菜容器３６の底板４４の後部から照明され、後部をより視認しやすくなる。
【００５０】
（第６の実施形態）
次に、第６の実施形態の冷蔵庫１０について図１０に基づいて説明する。
【００５１】
本実施形態では野菜容器３６の底板４４にシボ加工を行う。このようなシボ加工を行うことにより、食品の転がりがシボ加工との摩擦によって抑制することができる。
【００５２】
（第７の実施形態）
次に、第７の実施形態について図１１及び図１２に基づいて説明する。
【００５３】
本実施形態においては、図１１に示すように、蓋板５４の上端部を棚３４に対し回動自在に取り付けると共に、バネ部材９０によって上方に付勢する。このバネ部材９０は、蓋板５４の上部に切欠き９２を設け、コイル状のバネ部材９０の一端部をこの切欠き部９２に挿入することによって取り付けられる。一方、棚３４には、コイル状のバネ部材９０の他端部を取り付けることによって固定される。
【００５４】
一方、図１２に示すように、蓋板５４の下端部と野菜容器３６の前壁５２の上端部にあるフランジ部に磁石９４、９６をそれぞれ取り付ける。
【００５５】
にれにより、蓋板５４を閉じている状態では磁石９４と磁石９６が接着されてその状態を維持する。一方、ユーザがこの磁石９４、９６を取り外すとバネ部材９０の付勢力により蓋板５４が回転し、野菜容器３６の前部が開口する。
【００５６】
本実施形態によれば、蓋板５４を設けることにより、野菜容器３６の湿度保持及び食品の容器外部への漏れを防止することができる。
【００５７】
（第８の実施形態）
次に、第８の実施形態の冷蔵庫１０について図１３及び図１４に基づいて説明する。
【００５８】
本実施形態の特徴は野菜容器３６の蓋の構造にある。第７の実施形態では板状の蓋板５４を設けた。
【００５９】
しかし本実施形態では、図１３に示すように、シート９８をロール状に巻回し、野菜容器３６の開口部の一側部に取り付けている。そして、このシート９８の一端部をこの一側部に固定する。
【００６０】
そして、シート９８の他端部を図１３において右側に引き出すと、図１４に示すように開口部を閉塞することができる。この閉塞状態でシート９８の他端部にあるフック１００を開口部の他側部にあるフランジ部１０２に引っ掛ける。これによって、蓋の役割を行うことができる。
【００６１】
本実施形態によれば、シート９８を用いることにより、合成樹脂製の蓋板５４に比べ、薄い蓋を作成することが可能となり、冷蔵室１４内の有効内容積を大きくすることができる。
【００６２】
（第９の実施形態）
次に、冷蔵庫１０の第９の実施形態について図１５〜図１８に基づいて説明する。
【００６３】
本実施形態では、野菜容器の構造が第１の実施形態と異なっている。
【００６４】
（１）本実施形態の目的
観音開き式の扉２２，２２を有し、野菜容器３６が冷蔵室１４に対し全幅の寸法を有する場合には、両扉２２，２２を開けないと野菜容器３６を引き出すことができない。また、両扉２２，２２を開けた後に、さらに野菜容器３６を引き出す動作が必要で、片手で簡単に野菜容器３６を引き出し、食品の出し入れをできないという問題点があった。
【００６５】
そこで、本実施形態では上記問題点に鑑み、両開きの扉２２，２２の一方の扉を開けただけで、野菜容器３６を引き出すことができ、さらに、より簡単にその引出しを行うことができるものを提供する。
【００６６】
（２）野菜容器の構成
本実施形態の野菜容器は、図１５に示すように、観音開き式の扉２２，２２の幅に合わせて、左野菜容器１０４、右野菜容器１０６とから構成されている。
【００６７】
左野菜容器１０４は、左右一対の容器支え１０８，１１０に載置されている。この容器支え１０８，１１０は、仕切り板３８から突出した左右一対の支持部１０９，１１１に固定された左右一対のスライドレール１１２，１１４が取り付けられている。また、この左側の容器支え１０８からレール支え１１５が前方に突出している。
【００６８】
右野菜容器１０６も同様に、左右一対の容器支え１０８，１１０に載置されている。この容器支え１０８，１１０は、仕切り板２８から突出した左右一対の支持部１０９，１１１に固定された左右一対のスライドレール１１２，１１４が、取り付けられている。また、この右側の容器支えからレール支え１１５が前方に突出している。
【００６９】
また、左扉２２の側面の左壁に扉支え２３が補強板２５を介してネジ２７で固定されている。補強板２５は扉２２の外側部材と内側部材の間にある断熱材側に設けられている。右扉２２も同様に扉支え２３を有している。
【００７０】
（２）引出し構造
本実施形態では左野菜容器１０４及び右野菜容器１０６を自動的に引き出せる構造を有している。
【００７１】
図１８に示すように、左野菜容器１０４のレール支え１１５と、左扉２２のドアポケット６４を連結する連結部材１１６が設けられている。
【００７２】
この連結部材１１６は、上連結棒１１８とそれに平行に設けられた下連結棒１２０及び上下連結棒１１８，１２０を連結する連結板１２２から構成されている。
【００７３】
上連結棒１１８の前端部には連結ピン１２６が下方に配され、左扉２２の扉支え２３の上部に回動自在に固定されている。一方、上連結棒１１８の後端部も連結ピン１２８が配され、回動自在に左野菜容器１０４のレール支え１１５の上部に回動自在に固定されている。
【００７４】
下連結棒１２０も同様に、その前端部及び後端部に連結ピン１２６，１２８が配され、左野菜容器１０４のレール支え１１５の下部に回動自在に配され、左扉２２の扉支え２３の下部に回動自在に固定されている。
【００７５】
右野菜容器１０６のレール支え１１５も同様に、右扉２２と連結部材１１６によって連結されている。
【００７６】
（２）動作状態
左扉２２を回転軸１２４を中心に回転し、連結部材１１６が左野菜容器１０４を前方へ引き出す。これによって左野菜容器１０４が自動的に前方へ飛び出すことができる。また、右扉２２を開けると、右野菜容器１０６も同様に前方に飛び出すことができる。
【００７７】
（３）効果
本実施形態によれば、左扉２２を開けるだけで左野菜容器１０４が自動的に前方に飛び出し、片手でも操作することができる。
【図面の簡単な説明】
【００７８】
【図１】本発明の第１の実施形態を示す冷蔵庫の斜視図であって、冷蔵室が一部決済されている。
【図２】冷蔵庫の正面図である。
【図３】冷蔵室の扉を閉じた状態の縦断面図である。
【図４】冷蔵室の扉を開いた状態の縦断面図である。
【図５】ストッパの拡大図である。
【図６】（ａ）は仕切り板の拡大図であり、（ｂ）（ｃ）はストッパの斜視図であり、（ｄ）（ｅ）はストッパを横から見た説明図である。
【図７】第２の実施形態の冷蔵室の縦断面図である。
【図８】第２の実施形態のストッパの拡大図である。
【図９】第４の実施形態の縦断面図である。
【図１０】第５の実施形態の野菜容器の斜視図である。
【図１１】第６の実施形態の冷蔵室の縦断面図及び蓋板の取り付け部分の拡大図である。
【図１２】同じく蓋板の下部の取り付け部分の拡大図である。
【図１３】第７の実施形態のシート状の蓋の開いた状態の斜視図である。
【図１４】閉めた状態の拡大図である。
【図１５】第８の実施形態の野菜容器の正面図である。
【図１６】ドアポケットの側面図である。
【図１７】ドアと冷蔵室の横断面図である。
【図１８】連結部材の側面図である。
【符号の説明】
【００７９】
１０  冷蔵庫
１４  冷蔵室
３６  野菜容器
４４  底板
５８  レール部材
６０  溝
６６  ストッパ
【図１】
2009228956.tif 000003
【図２】
2009228956.tif 000004
【図３】
2009228956.tif 000005
【図４】
2009228956.tif 000006
【図５】
2009228956.tif 000007
【図６】
2009228956.tif 000008
【図７】
2009228956.tif 000009
【図８】
2009228956.tif 000010
【図９】
2009228956.tif 000011
【図１０】
2009228956.tif 000012
【図１１】
2009228956.tif 000013
【図１２】
2009228956.tif 000014
【図１３】
2009228956.tif 000015
【図１４】
2009228956.tif 000016
【図１５】
2009228956.tif 000017
【図１６】
2009228956.tif 000018
【図１７】
2009228956.tif 000019
【図１８】
2009228956.tif 000020